(57)【要約】【課題】配線が取り散らかるのを防ぐことができ、かつ組み立てやすい遊技機を提供する。【解決手段】遊技機は、配線１００が通される配線通路１０１と、配線通路１０１を構成する一方の壁部１０３から、配線通路１０１を構成する他方の壁部１０２側に向けて延出するように設けられ、配線を係止可能なフック１１２ａ，１１２ｂと、他方の壁部１０２から、一方の壁部１０３側に向けて延出するように設けられたリブ１１０ａ，１１０ｂ，１１０ｃと、を備えるので、配線が取り散らかるのを防ぐことができ、かつ組み立てやすい。【選択図】図５
2019072350.tif 000002
【特許請求の範囲】
【請求項１】
配線が通される配線通路と、
前記配線通路を構成する一方の壁部から、前記配線通路を構成する他方の壁部側に向けて延出するように設けられ、前記配線を係止可能なフックと、
前記他方の壁部から、前記一方の壁部側に向けて延出するように設けられたリブと、を備えることを特徴とする遊技機。
【発明の詳細な説明】
【技術分野】
【０００１】
本発明は、遊技機に関する。
【背景技術】
【０００２】
スロットマシンやパチンコ遊技機等の遊技機は、内部に複数の電子部品を備えており、これらの電子部品は、配線によって繋がれている。遊技機内の配線は、他の配線等との干渉を防ぐためや、他の部材に挟まれて傷ついたりしないようにするため、あるいは配線を整理するために、取り散らからないようにする必要がある。例えば、特許文献１には、配線を配線収納部に収納し、この収納された配線を覆い部材で覆うことにより、配線が取り散らからないようにされた遊技機が記載されている。
【先行技術文献】
【特許文献】
【０００３】
【特許文献１】特開平１１−１３７８０８号公報
【発明の概要】
【発明が解決しようとする課題】
【０００４】
ところで、特許文献１に記載の遊技機のように、配線が収納される部分を覆い部材等で覆うことにより、配線が取り散らかるのを防ごうとすると、配線を所定の場所に収納した上で、覆い部材を取り付けたりする必要があり、遊技機が組み立てにくいものになってしまうおそれがある。
【０００５】
本発明は、前記事情に鑑みてなされたもので、配線が取り散らかるのを防ぐことができ、かつ組み立てやすい遊技機を提供することを目的とする。
【課題を解決するための手段】
【０００６】
前記目的を達成するために、本発明の遊技機は、配線が通される配線通路と、前記配線通路を構成する一方の壁部から、前記配線通路を構成する他方の壁部側に向けて延出するように設けられ、前記配線を係止可能なフックと、前記他方の壁部から、前記一方の壁部側に向けて延出するように設けられたリブと、を備えることを特徴とする。
【０００７】
このような構成によれば、配線通路を通された配線は、フックによって、配線通路から抜けるのが防止される。また、リブがあることによって、配線通路内において、フックが設けられている壁部側に配線が寄せられるので、配線がフックから外れてしまうのを防ぐことができる。したがって、配線が取り散らかるのを防ぐことができる。また、フックに配線を係止させるだけで、配線が配線通路から抜けないようになるため、遊技機を組み立てやすくできる。
【発明の効果】
【０００８】
本発明の遊技機によれば、配線が取り散らかるのを防ぐことができ、かつ組み立てやすくできる。
【図面の簡単な説明】
【０００９】
【図１】本発明の実施の形態に係る遊技機の一例を示すもので、その斜視図である。
【図２】同、意匠ユニットを示す分解斜視図である。
【図３】同、意匠ユニット本体および照明基板を示すもので、後側から見た斜視図である。
【図４】同、意匠ユニットを示す背面図である。
【図５】同、配線通路を示すもので、後側から見た斜視図である。
【図６】同、上部カバー部材の配線通路部分を示す断面斜視図である。
【発明を実施するための形態】
【００１０】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１１】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１２】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００１３】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＸでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する表示ユニットの表示面を見るために設けられたものであり、この表示ユニットでは、その表示面に遊技機における演出用の画像が表示されるようになっている。
また、上扉３０の表示窓３２の上部には、意匠ユニット３３が設けられている。また、意匠ユニット３３は、意匠ユニット３３の左右方向中央部に配置され、照明基板からの光によって光る照明装置３４と、意匠ユニット３３の左右両端部に配置されたスピーカー３５，３５と、を備えている。
【００１４】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１５】
なお、このスロットマシンＸは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＸは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００１６】
また、下扉４０の上部には、スロットマシンＸを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７は、演出等の選択用の十字キー、決定ボタン、キャンセルボタン等を有している。
【００１７】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ５９が設けられている。
【００１８】
意匠ユニット３３は、図２に示すように、略直方体状の意匠ユニット本体６０と、照明基板６１と、照明基板６１の背面側上部を覆う上部カバー部材６２と、照明基板６１の背面側下部を覆う下部カバー部材６３と、を備えている。
【００１９】
照明基板６１は、略Ｔ字の板状の電子回路基板となっている。また、照明基板６１は、前面側に光源として複数のＬＥＤ６５を備えている。また、照明基板６１の背面には、照明基板６１と他の電子部品（電子回路基板やスピーカー等）とに繋がれるハーネス（配線）を接続するための、コネクタ６６が左右方向に並べて５つ設けられている（図３参照）。また、照明基板６１には、その下部に左右方向に略一列に並べて３つの孔６７が設けられている。また、照明基板６１には、これら３つの孔６７よりも上側に２つの孔６８が左右方向に並べて設けられている。また、照明基板６１には、その上縁部から下方に向けて切り欠くようにして、２つの切り欠き部６９が設けられている。
【００２０】
意匠ユニット本体６０は、前面側の中央部にロゴレンズ７０を備えており、前面側の左上部および右上部にサイドレンズ７１，７１を備えている。また、ロゴレンズ７０およびサイドレンズ７１，７１は、透光性を有する合成樹脂により成形されており、照明基板６１からの光によって光るようになっている。また、ロゴレンズ７０と照明基板６１との間には、文字や絵柄等が描かれた（印刷された）薄膜状の部材が配置されており、当該薄膜状の部材がＬＥＤ６５からの光りによって光り、ロゴレンズ７０を通して遊技者から見えるようになっている。すなわち、照明基板６１、ロゴレンズ７０およびサイドレンズ７１，７１等によって照明装置３４が構成されている。
【００２１】
また、意匠ユニット本体６０は、図２および図３に示すように、その左下部分および右下部分に、スピーカー３５，３５を備えている。また、スピーカー３５は、ハーネス１００（図４参照）を接続するためのコネクタ７４を備えている。また、左側のスピーカー３５のコネクタ７４は、意匠ユニット本体６０の背面側の左端部に配置されており、右側のスピーカー３５のコネクタ７４は、意匠ユニット本体６０の背面側の右端部に配置されている。また、スピーカー３５と照明基板６１とは、ハーネス１００によって繋がれている。そして、スピーカー３５，３５は、照明基板６１を介して、演出を制御する演出制御用の基板に繋がれており、当該演出制御用の基板からの信号に従って、演出用の音等を流すようになっている。すなわち、照明基板６１は、ロゴレンズ７０やサイドレンズ７１等のレンズ部材を照らす照明基板となっているとともに、演出制御用の基板からスピーカー３５への信号を中継する中継基板となっている。
【００２２】
意匠ユニット本体６０は、背面に７つのボス８０を備えている。また、これら７つのボス８０は、それぞれ、照明基板６１の孔６７，６８、切り欠き部６９に対応する位置に設けられている。
【００２３】
下部カバー部材６３は、図２に示すように、左右に長尺な板状の下部カバー部材本体８５を備えている。また、下部カバー部材本体８５は、板面を前後方向に向けた状態となっている。また、下部カバー部材本体８５には、左右方向に略一列に並べて、ネジを挿通させるためのネジ挿通孔８６が３つ設けられている。また、下部カバー部材本体８５の下部には、意匠部８７が設けられている。意匠部８７は、遊技者から見えるようになっており、スロットマシンＸの外観を装飾する形状となっている。
【００２４】
上部カバー部材６２は、略Ｔ字の板状の上部カバー部材本体９０を備えている。また、上部カバー部材本体９０の前面には、その周縁部に沿って、複数の円柱状突出部９１が設けられている。また、上部カバー部材６２は、意匠ユニット本体６０の７つのボス８０のうち、上側の４つのボス８０それぞれに対応する位置に、ネジ挿通孔９２を備えている。また、上部カバー部材６２は、照明基板６１の５つのコネクタ６６それぞれに対応する位置に、コネクタ６６を後方に露出させるための開口部９４を備えている。
【００２５】
照明基板６１は、図４に示すように、背面が上部カバー部材６２および下部カバー部材６３に覆われた状態で、意匠ユニット本体６０に取り付けられている。具体的には、照明基板６１は、５つの孔６７，６８および２つの切り欠き部６９それぞれに意匠ユニット本体６０のボス８０が挿通された状態となっている（図３参照）。また、照明基板６１は、その前面が、意匠ユニット本体６０の背面に当接した状態となっている。また、下部カバー部材６３は、その３つのネジ挿通孔８６それぞれに挿通されたネジ９６が、意匠ユニット本体６０背面の下側の３つのボス８０それぞれのネジ孔にねじ込まれることにより、意匠ユニット本体６０に対して固定されている。また、上部カバー部材６２は、その４つのネジ挿通孔９２それぞれに挿通されたネジ９７が、意匠ユニット本体６０背面の上側の４つのボス８０それぞれのネジ孔にねじ込まれることにより、意匠ユニット本体６０に対して固定されている。また、上部カバー部材６２は、円柱状突出部９１の前端面が、照明基板６１の背面と当接した状態となっている。すなわち、照明基板６１は、意匠ユニット本体６０と上部カバー部材６２とによって前後から挟まれて、意匠ユニット本体６０および上部カバー部材６２と一体化されている。
【００２６】
また、照明基板６１の５つのコネクタ６６は、それぞれ上部カバー部材６２の５つの開口部９４から後方に露出した状態となっている。また、図４および図５に示すように、５つのコネクタ６６のうちの左端部のコネクタ６６にその一端部が接続されたハーネス１００は、左側のスピーカー３５のコネクタ７４にその他端部が繋がれており、右端部のコネクタ６６にその一端部が繋がれたハーネス１００は、右側のスピーカー３５のコネクタ７４にその他端部が繋がれている。なお、左側のスピーカー３５に繋がれたハーネス１００と、右側のスピーカー３５に繋がれたハーネス１００とは、それぞれ２本の配線（各配線は、図４、図５に黒い太線で図示）により構成されている。そして、照明基板６１（中継基板）を介して送られてくる音声信号（電気信号）によって、スピーカー３５から音が発せられるようになっている。
【００２７】
また、上部カバー部材６２の背面側の左上部分および右上部分には、ハーネス１００を通すための配線通路１０１が形成されている。なお、上部カバー部材６２の左側の配線通路１０１部分と右側の配線通路１０１部分とは、左右対称の構造となっているため、以下では、左側の配線通路１０１について説明し、右側の配線通路１０１については、その説明を省略する。
【００２８】
配線通路１０１は、図４〜図６に示すように、左右に延びる互いに平行な２つの壁部（上壁部１０２および下壁部１０３）を備えている。また、上壁部１０２および下壁部１０３は、上部カバー部材本体９０の背面に立設されており、上下に離間して設けられている。また、下壁部１０３の左端部は、上壁部１０２の左端部よりも左側に位置している。また、上壁部１０２の後端面は、下壁部１０３の後端面よりも後側に位置している。
【００２９】
また、配線通路１０１は、上壁部１０２から下壁部１０３側に向けて延出する互いに平行な３つのリブ１１０ａ，１１０ｂ，１１０ｃを備えている。３つのリブ１１０ａ，１１０ｂ，１１０ｃは、上部カバー部材本体９０の背面に立設されており、左右に離間して設けられている。すなわち、３つのリブ１１０ａ，１１０ｂ，１１０ｃは、上部カバー部材本体９０の背面および上壁部１０２と一体的に形成されているとともに、下壁部１０３との間に隙間が形成されている。また、３つのリブ１１０ａ，１１０ｂ，１１０ｃのうち、左側のリブ１１０ａは、上壁部１０２の左端縁から下方に延びるように形成されているとともに、リブ１１０ａの後端面が、上壁部１０２の後端面と面一となっている。また、中央のリブ１１０ｂと右側のリブ１１０ｃとは、その後端面が、下壁部１０３の後端面と略面一となっている。
【００３０】
また、配線通路１０１は、下壁部１０３の後端部から上壁部１０２側に向けて延出する２つのフック（係止片）１１２ａ，１１２ｂを備えている。また、２つのフック１１２ａ，１１２ｂは、左右に離間して設けられているとともに、上部カバー部材本体９０の背面よりも後方に配置されている。また、右側のフック１１２ｂは、左右方向（すなわち、上壁部１０２および下壁部１０３の延在方向。換言すると、配線通路の延びる方向）において、中央のリブ１１０ｂと右側のリブ１１０ｃとの間に配置されている。また、左側のフック１１２ａは、左側のリブ１１０ａよりも左側に配置されている。すなわち、フック１１２ａ，１１２ｂは、下壁部１０３と一体的に形成されているとともに、上部カバー部材本体９０の背面および上壁部１０２との間に隙間が形成されている。また、左側のフック１１２ａは、下壁部１０３の左端縁から上方に延びるように形成されている。また、フック１１２ａ，１１２ｂの背面は、下壁部１０３の後端面と面一となっている。そして、フック１１２ａ，１１２ｂの前面は、中央のリブ１１０ｂおよび右側のリブ１１０ｃの背面よりも前方に位置している。また、フック１１２ａ，１１２ｂの上端部（先端部）は、リブ１１０ａ，１１０ｂ，１１０ｃの下端部（先端部）よりも上方に位置している。また、右側のフック１１２ｂの上端部は、左側のフック１１２ａの上端部よりも上方に位置している。換言すると、右側のフック１１２ｂの方が、左側のフック１１２ａよりも長くなっている。
【００３１】
左側のスピーカー３５のコネクタ７４にその一端部が繋がれたハーネス１００は、左側のフック１１２ａの前方を通過し、左側のリブ１１０ａおよび中央のリブ１１０ｂの下方を通過し、右側のフック１１２ｂの前方を通過し、右側のリブ１１０ｃの下方を通過して、他端部が照明基板６１のコネクタ６６に繋がれている。
【００３２】
このような構成によれば、ハーネス１００は、フック１１２ａ，１１２ｂに引っ掛けられていることにより、前後方向への移動が規制され、配線通路１０１から抜けるのが防止される。すなわち、フック１１２ａ，１１２ｂは、ハーネス１００を係止可能になっており、ハーネス１００が後方に動こうとした際にこのハーネス１００がフック１１２ａ，１１２ｂに係止されるため、ハーネス１００が配線通路１０１から逸脱しないようになっている。また、ハーネス１００は、リブ１１０ａ，１１０ｂ，１１０ｃがあることによって、配線通路１０１内において、フック１１２ａ，１１２ｂが設けられている下壁部１０３側に寄せられる。したがって、フック１１２ａ，１１２ｂによる係止状態（掛止状態）からハーネス１００が外れて、配線通路１０１からハーネス１００が抜けてしまうのが防止される。すなわち、配線が通される配線通路１０１と、配線通路１０１を構成する一方の壁部１０３から、配線通路１０１を構成する他方の壁部１０２側に向けて延出するように設けられ、配線通路１０１から配線が抜けるのを防止するフック１１２ａ，１１２ｂと、他方の壁部１０２から、一方の壁部１０３側に向けて延出するように設けられ、一方の壁部１０３側に配線を寄せるリブ１１０ａ，１１０ｂ，１１０ｃと、を備えるので、配線通路１０１から配線が抜けるのが防止される。
【００３３】
特に、本実施の形態のスロットマシンＸでは、一方の壁部１０３から他方の壁部１０２に向けて延出しているフック１１２ａ，１１２ｂの先端部よりも、他方の壁部１０２から一方の壁部１０３に向けて延出しているリブ１１０ａ，１１０ｂ，１１０ｃの先端部の方が、当該一方の壁部１０３側に位置しているので、ハーネス１００がフック１１２ａ，１１２ｂの先端部を越えて、フック１１２ａ，１１２ｂから外れてしまうのが強く防がれている。つまり、ハーネス１００がフック１１２ａ，１１２ｂから外れてしまうのを強く防ぐためには、横方向（配線通路１０１が延びる方向）から見た際に、フック１１２ａ，１１２ｂと、リブ１１０ａ，１１０ｂ，１１０ｃとは、壁部１０３から壁部１０２に向かう方向において、少なくとも互いの先端が同じ位置まで延びていることが好ましい。また、横方向（配線通路１０１が延びる方向）から見た際に、フック１１２ａ，１１２ｂと、リブ１１０ａ，１１０ｂ，１１０ｃとは、壁部１０３から壁部１０２に向かう方向において、互いの少なくとも一部が重複していることがより好ましい。
【００３４】
また、フック１１２ｂの左右両側には、リブ１１０ｂ，１１０ｃが配置されているので、例えば、フック１１２ｂの左右いずれか一方においてハーネス１００が大きく上下に動くことがなく、ハーネス１００がフック１１２ｂから外れてしまうのが強く防がれている。また、フック１１２ａとフック１１２ｂとの間に、リブ１１０ａとリブ１１０ｂとがあるので、フック１１２ａとフック１１２ｂとによって広範囲にわたってハーネス１００が配線通路１０１から抜けるのが防止されているともに、リブ１１０ａとリブ１１０ｂとによってフック１１２ａまたは１１２ｂからハーネス１００が外れてしまうのが防止されている。なお、フック１１２ａとフック１１２ｂとの間には、リブが１つしか設けられていなくてもよい。
なお、フック１１２ｂは、下壁部１０３から上方に延出して設けられることでフック状となっているが、フック１１２ｂ自体は略平板状となっている。このため、ハーネス１００をフック１１２ｂに容易に掛けることができるようになっている。なお、フック１１２ｂをその先端部が前方に突出するような形状にして（フック１１２ｂ自体もフック状として）、ハーネス１００がフック１１２ｂからより外れにくいようにしてもよい。
【００３５】
また、配線通路１０１は、配線通路１０１に通されるハーネス１００が繋がれる照明基板６１の一部を覆うカバー部材（上部カバー部材６２）が有しているので、ハーネス１００が繋がれる照明基板６１のできるだけ近くにハーネス１００を通しつつ、ハーネス１００と照明基板６１とが干渉するのを防ぐことができる。また、配線を通すための通路を形成するために、別途余計な部材を追加する必要がない。
【符号の説明】
【００３６】
１００  ハーネス（配線）
１０１  配線通路
１０２  上壁部（他方の壁部）
１０３  下壁部（一方の壁部）
１１０ａ，１１０ｂ，１１０ｃ  リブ
１１２ａ，１１２ｂ  フック（係止片）
【図１】
2019072350.tif 000003
【図２】
2019072350.tif 000004
【図３】
2019072350.tif 000005
【図４】
2019072350.tif 000006
【図５】
2019072350.tif 000007
【図６】
2019072350.tif 000008